(57)【特許請求の範囲】
【請求項１】
便器上に載置され、シャーシと本体ケースとからなる人体局部洗浄装置において、
該人体局部洗浄装置の内部に、人体局部を乾燥する乾燥手段、トイレ室内を暖房する暖房手段及びトイレ室内の悪臭を脱臭する脱臭手段とから選ばれる少なくとも１つの手段と、人体局部洗浄手段とを設置し、
前記乾燥手段、暖房手段及び脱臭手段は、ダクト及びファンとを有し、
前記ダクトには前記ファンと接続する開口端に前記ファンを挟持する一対の挟持部材を延設し、
前記ファンが、該ファンをねじ止めする為のねじ止め用貫通孔を有し、
前記挟持部材の対向する面に、前記ねじ止め用貫通孔と嵌合する嵌合突起を設け、
前記ファンが、前記挟持部材を弾性変形させて前記嵌合突起を前記ねじ止め用貫通孔に嵌合することにより、前記シャーシに縦置きに固定されたことを特徴とする人体局部洗浄装置。
【請求項２】
シャーシ又は本体ケースが、挟持部材の外側で、かつ、嵌合突起の近傍に、前記挟持部材が両側に開く動きを規制する規制突起を有していることを特徴とする請求項１に記載の人体局部洗浄装置。
【請求項３】
シャーシ又は本体ケースが、ファンのねじ止め用貫通孔と嵌合突起との嵌合部分を中心とした回転移動を規制する固定ガイドを有していることを特徴とする請求項１又は２に記載の人体局部洗浄装置。
【発明の詳細な説明】
【０００１】
【発明の属する技術分野】
本発明は、人体局部を温水にて洗浄する人体局部洗浄装置、特にその内部設置されるファンの固定構造に関する。
【０００２】
【従来の技術】
従来の人体局部洗浄装置は、図６に示すように、便座１６が本体ケース３に回動自在に取り付けられ、前記本体ケース３及びシャーシ２とは、ねじにより締結係止される構造となっている。前記本体ケース３内部には、洗浄後の人体局部を乾燥させる乾燥手段５、トイレ室内を暖房する暖房手段６及びトイレ室内の悪臭を脱臭する脱臭手段７が、人体局部洗浄手段４と共に設置され、各々ねじによりシャーシ２に固定される。
【０００３】
前述した乾燥手段５、暖房手段６及び脱臭手段７は、外気を吸引し、放出するファン（乾燥ファン９ａ、暖房ファン９ｂ、脱臭ファン９ｃ）を有しており、乾燥手段５及び暖房手段６は、前記ファン（乾燥ファン９ａ、暖房ファン９ｂ）に連通するダクト（乾燥ダクト８ａ、暖房ダクト８ｂ）及び該ダクト内に設置し、空気を加温するヒータを有している。脱臭手段７は、臭気を脱臭ファン９ｃにて吸引し、脱臭した後に脱臭ダクト８ｃより放出するもので、図６に示すように、専用の脱臭ダクト８ｃを設けることなく、シャーシ２にダクト機能を持たせたものもある。
【０００４】
前述したファンの固定は、暖房ファン９ｂを用いて説明すると、図７に示すように、暖房ファン９ｂに設けられているねじ止め用貫通孔１０、１０を使用し、ねじにてシャーシ２に直接固定している。
【０００５】
【発明が解決しようとする課題】
しかしながら、図７に示す暖房ファン９ｂの固定方法は、ねじの締め付け方向の関係から、暖房ファン９ｂの取付姿勢がシャーシ２に対してねじ止め用貫通孔１０が鉛直となる方向しかとれないとの課題を有している。暖房ファン９ｂは、この姿勢からのシャーシ２に対する投影面積が大きく、シャーシ２に設置すべき他の内部部品の配置が大きく制限されてしまい、結果として、人体局部洗浄装置の小型化を進める上での障害となっている。
【０００６】
更に、暖房ファン９ｂをシャーシ２に固定するねじは、暖房ファン９ｂの厚み以上の長さが必要となり、ファン以外の内部部品を設置する際に使用する、他の標準的なねじが使用できないとの課題も有している。これは、図８に示すように、暖房ファン９ｂをシャーシ２に対して立設させる専用固定部品１１を使用することにより、前述した標準的なねじを使用することが可能となるが、製品によりシャーシ２に対するねじ止め位置は変化するので、製品毎に異なる専用固定部品１１を用意する必要があり、製品のコストを押し上げてしまう。
【０００７】
本発明は、前述した課題に鑑みてなされたものであり、シャーシ２に対する投影面積が小さくなるように、ファンを立設して固定可能であり、且つ、前記固定の際に、専用固定部品１１を使用することなく、他の内部部品を固定する際に使用する標準的な長さのねじを用いるか、又はねじを用いることなくファンを固定することが可能な、人体局部洗浄装置を提供することを目的とする。
【０００８】
【課題を解決するための手段】
本発明の請求項１は、便器上に載置され、シャーシと本体ケースとからなる人体局部洗浄装置において、該人体局部洗浄装置の内部に、人体局部を乾燥する乾燥手段、トイレ室内を暖房する暖房手段及びトイレ室内の悪臭を脱臭する脱臭手段とから選ばれる少なくとも１つの手段と、人体局部洗浄手段とを設置し、前記乾燥手段、暖房手段及び脱臭手段は、ダクト及びファンとを有し、前記ダクトには前記ファンと接続する開口端に前記ファンを挟持する一対の挟持部材を延設し、前記ファンが、該ファンをねじ止めする為のねじ止め用貫通孔を有し、前記挟持部材の対向する面に、前記ねじ止め用貫通孔と嵌合する嵌合突起を設け、前記ファンが、前記挟持部材を弾性変形させて前記嵌合突起を前記ねじ止め用貫通孔に嵌合することにより、前記シャーシに縦置きに固定されたことを特徴とする。
【０００９】
本発明の請求項２は、シャーシ又は本体ケースが、挟持部材の外側で、かつ、嵌合突起の近傍に、前記挟持部材が両側に開く動きを規制する規制突起を有していることを特徴とする。
【００１０】
本発明の請求項３は、シャーシ又は本体ケースが、ファンのねじ止め用貫通孔と嵌合突起との嵌合部分を中心とした回転移動を規制する固定ガイドを有していることを特徴とする。
【００１２】
【発明の実施の形態】
本発明に用いる人体局部を乾燥する乾燥手段、トイレ室内を暖房する暖房手段及びトイレ室内の悪臭を脱臭する脱臭手段は、それぞれにファン及びダクトを有しており、前記乾燥手段及び暖房手段は、前記ダクトに空気を加熱するヒータを内蔵している。前記脱臭手段は、ファンの吸引口、排出口又はダクト内に脱臭材を有し、臭気が前記脱臭材を通過することにより脱臭される。人体局部洗浄手段は、人体局部を温水により洗浄可能なものであれば、特に限定されるものではなく、具体的には、温水タンク内のヒータにより加熱した温水を、洗浄ノズルへと導き、該洗浄ノズルより人体局部へと温水を噴出するものが用いられる。
【００１３】
本発明に用いるファンは、外気を吸引及び排出可能なものであれば使用可能であり、特に限定されるものではない。具体的には、シロッコファン又は軸流ファン等を好適に用いることができる。
【００１４】
本発明に用いる挟持部材１３は、図１に示すように、ファン（暖房ファン９ｂ）を確実に保持する為に、対となる挟持部材１３、１３間の間隔を、挟まれるファンの寸法と略同じとすることが好ましい。また、挟持部材１３、１３の厚みは、ファンを挿入する際に、弾性変形させても破損しない程度であれば、特に限定されるものではない。本発明では、前記挟持部材１３、１３を使用することにより、従来横置きであったファンを縦置きとすることが可能となり、且つ、個々の製品毎に専用固定部品１１（図８参照）を用いなくとも対応できるようになっている。
【００１５】
本発明に用いる嵌合突起１２、１２は、図１に示すように、ねじ止め用貫通孔１０、１０よりも径が小さいものであれば、断面形状は特に限定されるものではなく、長さについても、挟持部材１３、１３を弾性変形させて嵌合する際に無理なく（破損させることなく）行うことができるものであれば良い。ファンの固定は、前記嵌合突起１２、１２により行うため、より高い信頼性を求める場合以外は、ねじ止めをする必要がない。また、ねじ止めを行う場合であっても、従来例のように長いねじを用いる必要はなく、嵌合突起１２、１２を設けた挟持部材１３、１３の厚みよりも多少長い程度の、標準的なねじを使用することができる。
【００１６】
本発明に用いる規制突起１５、１５は、図５に示すように、人体局部洗浄装置１に強い衝撃が加わっても、挟持部材１３、１３とファン（暖房ファン９ｂ）との嵌合状態が解除され、外れてしまわないように、シャーシ２又は本体ケース３、若しくはその両方から、挟持部材１３、１３が両側に開く動きを規制する突起であり、その形状は特に限定されるものではなく、円柱状、角柱状等様々な形状が適宜用いられる。また、設置個数は、少なくとも１対あればよく、３個以上を設置しても良い。規制突起１５、１５の設置場所は、挟持部材１３、１３の最も破損しやすい部分、即ち、嵌合突起１２、１２の近傍とすることが好ましい。
【００１７】
本発明に用いる固定ガイド１７は、図４に示すように、ファン（暖房ファン９ｂ）が、人体局部洗浄装置１を落下させた場合や、製品の搬送途中で強い衝撃を受けた場合に、ねじ止め用貫通孔１０と嵌合突起１２との嵌合部分を中心とした回転移動をし、他の内部部品を破損させることがないように設けるものであり、ファンの移動を規制できるものであれば、その形状は、特に限定されるものではない。
【００１８】
【実施例】
以下図面を用いて、本発明の実施例を説明する。図１は、暖房手段６に用いる暖房ファン９ｂと暖房ダクト８ｂの斜視図であり、暖房ファン９ｂには、後述する嵌合突起１２、１２と嵌合させるねじ止め用貫通孔１０、１０を設けてある。暖房ダクト８ｂには、その内部に空気を加温するヒータを内蔵させ、前記暖房ファン９ｂと接続する開口端には、暖房ファン９ｂを挟持する為の１対の挟持部材１３、１３を延設し、該挟持部材１３、１３の対向する面に、前記ねじ止め用貫通孔１０、１０と嵌合する嵌合突起１２、１２を設けている。
【００１９】
図２は、暖房手段６をシャーシ２に設置固定した状態を示す人体局部洗浄装置１の要部縦断面図であり、図３は、同じく暖房手段６をシャーシ２に設置固定した状態を示す人体局部洗浄装置１の要部横断面図である。図２及び図３に示すように、本発明の暖房ファン９ｂは、従来例の暖房ファン（図７参照）とは異なり、シャーシ２に対して、投影面積の小さい縦置きとなっており、人体局部洗浄装置１全体の小型化を可能とする。
【００２０】
図４及び図５は、本発明の他の実施例を示し、図４では、人体局部洗浄装置１を誤って落下させてしまった際に、暖房ファン９ｂが回転移動して、他の内部部品（本体ケース３を含む）を破損しないように、逆Ｌ字状の固定ガイド１７を本体ケース３の裏面側に設けている。暖房ファン９ｂは、ねじを用いることなく嵌合突起１２とねじ止め用貫通孔１０との嵌合のみで固定している為に、強い衝撃を受けると、前記嵌合部分を中心にして、暖房ファン９ｂが回転移動しようとする。しかし、前記固定ガイド１７を用いると、暖房ファン９ｂの回転移動を抑制することができ、機器の破損を未然に防ぐことが可能となる。
【００２１】
また、図５に示すように、挟持部材１３、１３の外側に、各々規制突起１５、１５を設けると、挟持部材１３、１３が両側に広がることを阻止可能となり、人体局部洗浄装置１に強い衝撃が加わっても、暖房ファン９ｂが脱落することがない。
【００２２】
本実施例では、暖房手段を１例として説明してきたが、本発明は、暖房手段に限定されるものではなく、暖房手段と同じように、ファン及びダクトを使用する乾燥手段及び脱臭手段にも同様に適用される。
【００２３】
【発明の効果】
本発明は、以上説明したように、ファンを専用固定部品を使用することなく、シャーシに対して縦置き可能であり、嵌合突起を設けた場合には、ねじを使用する必要もない。更に、規制突起及び固定ガイドを併用した場合には、人体局部洗浄装置に強い衝撃が加わっても、ファンを脱落させることがなく、内部機器を破損させることもない人体局部洗浄装置を提供することができる。
【図面の簡単な説明】
【図１】本発明の要部である暖房手段を示す斜視図。
【図２】本発明の要部である暖房手段をシャーシに設置固定した状態を示す人体局部洗浄装置の要部縦断面図。
【図３】本発明の要部である暖房手段をシャーシに設置固定した状態を示す人体局部洗浄装置の要部横断面図。
【図４】本発明の他の実施例を示す、人体局部洗浄装置の一部縦断面図。
【図５】本発明の他の実施例を示す、人体局部洗浄装置の一部横断面図。
【図６】従来例を示す人体局部洗浄装置の一部透視平面図。
【図７】従来例を示す人体局部洗浄装置の一部横断面図。
【図８】従来例を示す人体局部洗浄装置の一部縦断面図。
【符号の説明】
１．人体局部洗浄装置  ２．シャーシ  ３．本体ケース  ４．人体局部洗浄手段５．乾燥手段  ６．暖房手段  ７．脱臭手段  ８ａ．乾燥ダクト  ８ｂ．暖房ダクト  ８ｃ．脱臭ダクト  ９ａ．乾燥ファン  ９ｂ．暖房ファン  ９ｃ．脱臭ファン  １０．ねじ止め用貫通孔  １１．専用固定部品  １２．嵌合突起  １３．挟持部材  １５．規制突起  １６．便座  １７．固定ガイド
【図１】
0004058654.tif 000002
【図２】
0004058654.tif 000003
【図３】
0004058654.tif 000004
【図４】
0004058654.tif 000005
【図５】
0004058654.tif 000006
【図６】
0004058654.tif 000007
【図７】
0004058654.tif 000008
【図８】
0004058654.tif 000009